(57)【要約】  【課題】  共振構造のキャビネットを有するスピーカを用いて低音域をフラットな特性で再生できるようにする。  【解決手段】バスレフ構造のキャビネットを有するスピーカを複数用いてスピーカシステムを構成する。各スピーカのキャビネットの容積を異ならせることにより、低域共振周波数がそれぞれ異なる周波数になるように設計する。各スピーカには別々のチャンネルのオーディオ信号を入力するが、低音域だけは全チャンネルの信号を合成して全スピーカに供給する。これにより、それぞれ異なる低域共振周波数により、フラットな特性で低音域を再生することができる。【選択図】  図３
2006129199.tif 000002
【特許請求の範囲】
【請求項１】
低音域に共振周波数を持つキャビネットにスピーカユニットを収納したスピーカを複数備えたスピーカシステムであって、
各スピーカのキャビネットの共振周波数をそれぞれ異ならせたことを特徴とするスピーカシステム。
【請求項２】
複数チャンネルのオーディオ信号を入力して増幅出力するオーディオアンプであって、
各チャンネルのオーディオ信号を低音域の信号と高音域の信号に分離するとともに、各チャンネルの低音域の信号を加算する低音域分離手段と、
低音域分離手段で分離された低音域の信号の位相を各チャンネル毎にそれぞれ異なる特性でシフトさせる位相シフト手段と、
各チャンネルにおいて、位相シフト手段で位相をシフトした低音域の信号とフィルタ手段で分離した高音域の信号とを加算する加算手段と、
加算手段で加算された信号を各チャンネルごとに増幅してスピーカに供給する増幅手段と、
を備えたオーディオアンプ。
【請求項３】
請求項１に記載のスピーカシステムの各スピーカを、請求項２に記載のオーディオアンプの増幅手段に続してなるオーディオシステム。
【請求項４】
前記位相シフト手段は、各チャンネルについて、当該チャンネル以外の各チャンネルに接続されるスピーカのキャビネットの位相特性を合成した特性で、低音域の信号をシフトする請求項３に記載のオーディオシステム。
【発明の詳細な説明】
【技術分野】
【０００１】
この発明は、フラットな特性で低音域の出力を可能にしたスピーカシステムおよびオーディオシステムに関する。
【背景技術】
【０００２】
スピーカユニットをキャビネットに収納したスピーカ（一般的にはスピーカシステムと呼ばれる）においては、低音再生の効率を高めるために、スピーカユニット自体の低域共振周波数ｆ０を低くすることに加えて、低音を強調出力できるキャビネットの内部構造（エンクロージャ）が種々提案されてきた（たとえば非特許文献１参照）。
【０００３】
図１（Ａ）〜（Ｃ）は、キャビネット内部構造の例を示す図である。同図（Ａ）は、バスレフレックス（バスレフ）キャビネットの内部構造を示している。バスレスキャビネットは、スピーカと同じ面に筒状の開口部（バスレフポート）を有している。この構造では、キャビネット内部の空気とバスレフポート内部の空気がヘルムホルツ共鳴作用により特定の周波数で共振することを利用して低音を強調出力することができる。共振周波数ｆｒは、
ｆｒ＝√（Ｓ／Ｐ）／２π
で表される（ただし、Ｓ：ボックス内部容積、Ｐ：ポート内部容積）。
【０００４】
共振周波数ｆｒをスピーカユニットの低域共振周波数ｆ０よりも若干低く設計することで、スピーカの低域再生特性を伸ばすことができる。
【０００５】
同図（Ｂ）は、クォーターチューブのキャビネットの内部構造を示す図である。クォーターチューブは、管共鳴による共振で低域を強調するものであり、スピーカ背面に設けられた仕切り板により、長さｈの共鳴管（閉管）が形成される。最低共鳴周波数ｆｒは、ｆｒ＝Ｍ／４ｈ；（Ｍ：音速）となる。また、同図（Ｃ）は、トランスミッションラインのキャビネットの内部構造を示す図である。トランスミッションラインは、管共鳴とヘルムホルツ共鳴を利用したものである。
【非特許文献１】佐伯多門監修「スピーカー＆エンクロージャー百科」誠文堂新光社１９９９年
【発明の開示】
【発明が解決しようとする課題】
【０００６】
上記のキャビネット構造を適用することにより、共振によって低域を強調することができるが、１つのスピーカにおいて、低域共振の周波数はスピーカユニットとエンクロージャの双方に１箇所ずつしか持たせられないため、共振を利用できる周波数帯域は狭く、バスレフの場合、図２（Ａ）のような特性になる。特に、強い共振を持たせるように設計した場合、同図（Ｂ）に示すようにスピーカユニットとポートの周波数特性のバランスが崩れ、広帯域でフラットな低域特性を得ることが困難になるという問題点があった。。
【０００７】
この発明の目的は、共振構造のキャビネット構造を用いたスピーカを用いて低音域をフラットな特性で再生できるようにすることにある。
【課題を解決するための手段】
【０００８】
請求項１の発明のスピーカシステムは、低音域に共振周波数を持つキャビネットにスピーカユニットを収納したスピーカを複数備えたスピーカシステムであって、各スピーカのキャビネットの共振周波数をそれぞれ異ならせたことを特徴とする。
【０００９】
請求項２の発明のオーディオアンプは、複数チャンネルのオーディオ信号を入力して増幅出力するオーディオアンプであって、各チャンネルのオーディオ信号を低音域の信号と高音域の信号に分離するとともに、各チャンネルの低音域の信号を加算する低音域分離手段と、低音域分離手段で分離された低音域の信号の位相を各チャンネル毎にそれぞれ異なる特性でシフトさせる位相シフト手段と、各チャンネルにおいて、位相シフト手段で位相をシフトした低音域の信号とフィルタ手段で分離した高音域の信号とを加算する加算手段と、加算手段で加算された信号を各チャンネルごとに増幅してスピーカに供給する増幅手段と、を備えたことを特徴とする。
【００１０】
請求項３の発明のオーディオシステムは、請求項１に記載のスピーカシステムの各スピーカを、請求項２に記載のオーディオアンプの増幅手段に接続したことを特徴とする。
【００１１】
請求項４の発明は、請求項３の発明において、前記位相シフト手段は、各チャンネルについて、当該チャンネル以外の各チャンネルに接続されるスピーカのキャビネットの位相特性を合成した特性で、低音域の信号をシフトすることを特徴とする。
【００１２】
この発明では、複数のスピーカ（スピーカユニットを共振構造のキャビネットに収納したもの）を用い、各スピーカキャビネットの共振周波数を異ならせている。これにより、各スピーカごとに強調される低域周波数が異なり、これらを同時に動作させることによって、低域再生特性を広い帯域でフラットにすることが可能になる。
【００１３】
共振構造のキャビネットから出力される低域音声は、キャビネットの共振周波数をカットオフとして位相が反転する。各スピーカではキャビネットの共振周波数が異なるため、出力される低域音声の位相が反転する周波数もこれによって異なる。そうすると、あるスピーカ（キャビネット）において位相が反転しているが、他のスピーカにおいて位相が反転していないという各スピーカから出力される音声が互いに逆位相の周波数帯域が生じる。これらのスピーカに同じ信号を入力して音声を出力すると、この逆位相の周波数帯域は、各スピーカから出力される音声が打ち消しあって音圧が低下する状態（ディップ）が生じてしまう。
【００１４】
そこで、この発明では、各スピーカに入力する低域信号の位相をシフトすることにより、上記逆位相の周波数帯域であっても事前に位相がシフトされている分位相がずれて逆位相とはならず周波数特性にディップが生じなくなる。
【００１５】
特に、自己のチャンネル以外の他のチャンネルに接続されるスピーカのキャビネットの位相特性を合成した特性（２チャンネルの場合には他方のチャンネルの特性、５チャンネルの場合には他の４チャンネルの特性を合成した特性）で低域信号をシフトすることにより、全チャンネルで低域信号の位相が一致しロスなく低域を強調することができる。
【発明の効果】
【００１６】
以上のようにこの発明によれば、共鳴型のキャビネットを有する複数のスピーカを用い、その低域共鳴周波数をそれぞれ異ならせることにより、低音域の広い周波数帯域でフラットな周波数特性を得ることができる。
【発明を実施するための最良の形態】
【００１７】
図３はこの発明の実施形態であるスピーカシステムを示す図である。このスピーカシステムは、フルレンジのスピーカシステムを複数台組み合わせて１セットのスピーカシステムとして構成されている。
ここで、１つのキャビネットに複数のスピーカユニット（トゥイター，ウーファー等）を収納したものを一般的にスピーカシステムと呼ぶが、この明細書においては、これを単にスピーカと呼び、複数のスピーカ（スピーカシステム）を組み合わせたものをスピーカシステムと呼ぶこととする。
【００１８】
同図（Ａ）は、ステレオ２チャンネルまたはバーチャルサラウンド２チャンネル用のスピーカシステムを示しており、一方が左（Ｌ）チャンネル用、もう一方が右（Ｒ）チャンネルである。また、同図（Ｂ）は、５．１チャンネルサラウンド用のスピーカシステムを示しており、それぞれが左（Ｌ）チャンネル用、センタ（Ｃ）チャンネル用、右（Ｒ）チャンネル用、サラウンド左（ＳＬ）チャンネル用、サラウンド右（ＳＲ）チャンネル用である。この５．１チャンネル用のスピーカセットを用いた場合、サブウーファは用いない。
【００１９】
同図に示すように、各スピーカは、キャビネット（スピーカボックス，エンクロージャ）およびスタンドを兼ねた縦長の筐体を有するトール型の構造をしている。そして、各スピーカごとにキャビネット部が占める高さ、および、その残分であるスタンド部の高さが異なっている。また、キャビネット部はバスレフ構造になっており、スピーカユニット４と同じ面にバスレフポート５が形成されている。
また、このようにトール型スピーカにこの発明を適用することにより、スタンド部を有効に活用することができる。
【００２０】
バスレフキャビネットの場合、キャビネット２内部の容積およびバスレフポート５の容積によって低域共振周波数が決定されるが、同図（Ａ）においては、上記キャビネット部２Ｌ，２Ｒの大きさを異ならせることにより左右チャンネルキャビネット２Ｌ，２Ｒの低域共振周波数を異ならせている。たとえば、左チャンネルキャビネット２Ｌの低域共振周波数が３０Ｈｚに設計され、右チャンネルの低域共振周波数が５０Ｈｚに設計される。
【００２１】
同図（Ｂ）の５チャンネルのスピーカにおいても同様に、それぞれキャビネット部の大きさを異ならせることにより、全スピーカのキャビネットの低域共振周波数を異ならせている。
【００２２】
このように、各スピーカ（キャビネット）の低域共振周波数を異ならせることにより、各スピーカの周波数特性、すなわち、各スピーカのキャビネットにおいて強調される低域周波数が異なり、この周波数特性を合成することにより、低域全体にわたってフラットな周波数特性を得ることができる。
【００２３】
なお、各スピーカを異なるチャンネルにそれぞれ接続した使用形態でも上記周波数特性の効果を得ることができるが、各チャンネルのオーディオ信号の低域のみを合成してモノラル化し、この低域信号を各チャンネルに合成することにより、全チャンネルの低域信号をフラットに出力することができる。この場合であっても、人の聴覚は、低域の音声には殆ど定位を感じず、高域の音声で定位を感じるため、高域の音声が複数チャンネルで定位制御されていれば、低域がモノラル化されていても、高域の周波数成分で通常どおりの定位を感じることができるため、低域のモノラル化は殆ど問題になることはない。
【００２４】
なお、この実施形態は、ヘルムホルツ共振を用いたバスレフ構造のキャビネットを適用した例を示しているが、他の共振形式のキャビネット構造（例えばクォーターチューブ構造やトランスミッションライン構造型など）を用いたキャビネットであってもよい。
【００２５】
このスピーカシステムを用いた場合、バスレフポート５から出力される低域音声の位相を無視できる状況であれば（たとえば、各スピーカがランダムな方向に向いている場合、各スピーカのバスレフポートとリスナーとの間に障壁を設けた場合等）、通常のオーディオアンプに接続して、フラットに強調された低域音声を再生することができる。
しかし、一般的な設置形態、すなわち、各スピーカがリスニングポイント（聴取位置）に向けて設置されている状態では、各スピーカ１のバスレフポート５から出力される低域音声の位相が問題となる。
以下、説明を簡略化するため２チャンネルのスピーカシステムについて説明する。
【００２６】
図４（Ａ）に示すように、バスレフ型のスピーカの場合、バスレフポート５から出力される音声は低域共振周波数付近で位相が反転する。図３（Ａ）のスピーカシステムの場合、左チャンネルのスピーカ１Ｌでは３０Ｈｚをカットオフとして位相が反転し、右チャンネルのスピーカ１Ｒでは５０Ｈｚをカットオフとして位相が反転する。このため、３０Ｈｚ〜５０Ｈｚの帯域の音声は、双方のポート５Ｌ，５Ｒから逆位相で出力されることになる。もし、左右チャンネルに同じ低域信号が入力されているとすると、この周波数帯域では全く逆位相の音声がリスニングポイントまで伝達され両者が打ち消しあって、この周波数範囲の音声が消滅してしまうことになる。このため、各スピーカの周波数特性を加算した全体特性にならず、図４（Ｂ）に示すように、上記周波数帯域にディップが生じてしまう。
【００２７】
複数チャンネルのオーディオ信号の低域信号を加算して各チャンネルに再入力した場合には、各チャンネルの低域信号は全く同じになり、上記逆位相による打ち消しあいが生じる。一方、各チャンネルのオーディオ信号を独立して各チャンネルのスピーカに入力した場合であっても、低域の信号は各チャンネル同じような信号である場合が多いので、全体としてフラットな低域再生を実現できるとともに、上記のような打ち消しあいが生じる可能性が高いと言える。
【００２８】
そこで、以下説明するオーディオアンプでは、各スピーカに入力する低域信号の位相を各スピーカごとに異ならせることによって、どの周波数帯域でも全く逆位相の音声が出力されないようにしている。
【００２９】
図５は、図３（Ａ）のスピーカシステムが接続されるオーディオアンプのブロック図である。このオーディオアンプは２チャンネルステレオ用のアンプである。各スピーカシステム１Ｌ，１Ｒは、それぞれパワーアンプ１０Ｌ，１０Ｒで駆動される。パワーアンプ１０Ｌには、Ｌチャンネルの高域信号およびＬ＋Ｒチャンネルの低域信号が入力される。パワーアンプ１０Ｒには、Ｒチャンネルの高域信号およびＬ＋Ｒチャンネルの低域信号が入力される。すなわち、左チャンネルスピーカ１Ｌは、Ｌチャンネルの高域音声およびＬ＋Ｒチャンネルの低域音声を再生出力し、右チャンネルスピーカ１Ｒは、Ｒチャンネルの高域音声およびＬ＋Ｒチャンネルの低域音声を再生出力する。
【００３０】
Ｌチャンネルのオーディオ信号はハイパスフィルタ（ＨＰＦ）１１Ｌおよびローパスフィルタ（ＬＰＦ）１２Ｌに入力されて、低域信号と高域信号に分離される。同様に、Ｒチャンネルのオーディオ信号はハイパスフィルタ１１Ｒおよびローパスフィルタ１２Ｒに入力されて、低域信号と高域信号に分離される。このハイパスフィルタ１１Ｌ，Ｒとローパスフィルタ１２Ｌ，Ｒのクロスオーバー周波数は１５０Ｈｚ前後に設定される。
【００３１】
ハイパスフィルタ１１Ｌを通過した高域信号は、加算回路１５Ｌを介してパワーアンプ１０Ｌに入力される。ハイパスフィルタ１１Ｒを通過した高域信号は、加算回路１５Ｒを介してパワーアンプ１０Ｒに入力される。
【００３２】
ローパスフィルタ１２Ｌを通過した左チャンネルの低域信号およびローパスフィルタ１２Ｒを通過した右チャンネルの低域信号は、加算回路１３で互いに加算される。したがって、加算回路１３から出力された低域信号はモノラル化されている。
【００３３】
このモノラル化された低域信号は、フェーズシフタ１４Ｌ，１４Ｒで位相シフトされる。フェーズシフタ１４Ｌで位相シフトされた低域信号は、加算回路１５Ｌを介して左チャンネルのパワーアンプ１０Ｌに入力され、フェーズシフタ１４Ｒで位相シフトされた低域信号は、加算回路１５Ｒを介して右チャンネルのパワーアンプ１０Ｒに入力される。
【００３４】
フェーズシフタ１４Ｌ，１４Ｒは、オールパスフィルタで構成すればよい。左チャンネルのフェーズシフタ１４Ｌは、右チャンネルのスピーカ１Ｒのバスレフキャビネット２Ｌの位相特性と同じ特性（カットオフ周波数）で位相を回転するように設計され、右チャンネルのフェーズシフタ１４Ｒは、左チャンネルのスピーカ１Ｌのバスレフキャビネット２Ｒの位相特定と同じ特性で位相を回転するように設計されている。
【００３５】
左右チャンネルのフェーズシフタ１４Ｌ，Ｒをこのように設計することにより、図６に示すように、左チャンネルの低域信号は、右チャンネルのバスレフキャビネットの位相特性に合わせて位相シフトされ、右チャンネルの低域信号は、左チャンネルのバスレフキャビネットの位相特性に合わせて位相シフトされる。そして、左チャンネルの低域信号は、左チャンネルのバスレフキャビネットによって位相シフトされ、右チャンネルの低域信号は、右チャンネルのバスレフキャビネットによって位相シフトされるため、左右スピーカから出力される低域信号は全く同位相となり、打ち消しあうことが無くなる。したがって、各スピーカ（スピーカユニット，バスレフポートを含む）の周波数特性を加算した特性が全体としての周波数特性となり、各チャンネルのスピーカをリスニングポイントに向けた場合でもフラットな低域再生特性を実現することが可能になる。
【００３６】
この実施形態では、左右チャンネルの位相を完全に一致させた理想的な例を示したが、各スピーカのバスレフポートから出力される音声が完全に逆位相にならない程度にいずれか一方の信号位相を回転させることによって、図４に示すような周波数特性のディップを防止することが可能である。
【００３７】
図７は、図３（Ａ）の２チャンネルのスピーカシステムが接続されるバーチャルサラウンドオーディオアンプのブロック図である。このオーディオアンプは、５チャンネルのオーディオ信号から低域信号を抽出し、この低域信号とサブウーファ信号とを加算してスピーカに供給する低域信号としている。
【００３８】
５．１チャンネルのうち左（Ｌ）チャンネル、センタ（Ｃ）チャンネル、右（Ｒ）チャンネル、サラウンド左（ＳＬ）チャンネル、サラウンド右（ＳＲ）チャンネルの信号は、ハイパスフィルタ２１に入力されるとともに、加算回路２４で加算されたのちローパスフィルタ２２に入力される。ハイパスフィルタ２１は各チャンネル別々に高域信号をフィルタリングする。ハイパスフィルタ２１とローパスフィルタ２２のクロスオーバー周波数は１５０Ｈｚ前後に設定される。
【００３９】
フィルタリングされた高域信号はバーチャルサラウンド回路２３に入力され、２チャンネル（Ｌ／Ｒ）の信号に統合される。この左チャンネルの高域信号は加算回路２７Ｌを介してパワーアンプ２０Ｌに入力される。右チャンネルの高域信号は加算回路２７Ｒを介してパワーアンプ２０Ｒに入力される。
【００４０】
ローパスフィルタ２２でフィルタリングされた５チャンネル分の低域信号は加算回路２５に入力される。加算回路には、サブウーファ（ＳＷ）チャンネルの信号も入力される。この５チャンネル分の低域信号およびサブウーファチャンネルの信号を加算した信号（低域信号）がフェーズシフタ２６Ｌ，Ｒに供給される。フェーズシフタ２６Ｌ，２６Ｒは、図５に示したフェーズシフタ１４Ｌ，Ｒと同様にオールパスフィルタで構成され、左チャンネルのフェーズシフタ２６Ｌは、右チャンネルのスピーカ１Ｒのバスレフキャビネット２Ｌの位相特性と同じ特性（カットオフ周波数）で位相を回転するように設計され、右チャンネルのフェーズシフタ２６Ｒは、左チャンネルのスピーカ１Ｌのバスレフキャビネット２Ｒの位相特定と同じ特性で位相を回転するように設計されている。
【００４１】
これにより、左右スピーカ１Ｌ，１Ｒから出力される低域音声の位相が完全に一致し、全体としてフラットな低域特性を得ることができる。
【００４２】
図８は、図３（Ｂ）に示す５チャンネルのスピーカシステムが接続されるサラウンドオーディオアンプのブロック図である。このオーディオアンプは、５チャンネルのオーディオ信号から低域信号を抽出し、この低域信号とサブウーファ信号とを加算して５チャンネルの各スピーカに低域信号として供給している。
【００４３】
５．１チャンネルのうち左（Ｌ）チャンネル、センタ（Ｃ）チャンネル、右（Ｒ）チャンネル、サラウンド左（ＳＬ）チャンネル、サラウンド右（ＳＲ）チャンネルの信号は、ハイパスフィルタ３１に入力されるとともに、加算回路３４で加算されたのちローパスフィルタ３２に入力される。ハイパスフィルタ３１は各チャンネル別々に高域信号をフィルタリングする。ハイパスフィルタ３１とローパスフィルタ３２のクロスオーバー周波数は１５０Ｈｚ前後に設定される。
【００４４】
フィルタリングされた高域信号は各チャンネルの加算回路３３Ｌ，３３Ｃ，３３Ｒ，３３ＳＬ，３３ＳＲを介して各チャンネルのパワーアンプ３０Ｌ，３０Ｃ，３０Ｒ，３０ＳＬ，３０ＳＲに供給される。各パワーアンプには、５チャンネルのスピーカ１Ｌ，１Ｃ，１Ｒ，１ＳＬ，１ＳＲが接続されている。
【００４５】
ローパスフィルタ３２でフィルタリングされた５チャンネル分の低域信号は加算回路３５に入力される。加算回路には、サブウーファ（ＳＷ）チャンネルの信号も入力される。この５チャンネル分の低域信号およびサブウーファチャンネルの信号を加算した信号（低域信号）がフェーズシフタ３６Ｌ，３６Ｃ，３６Ｒ，３６ＳＬ，３６ＳＲに供給される。
【００４６】
各フェーズシフタ３６Ｌ，Ｃ，Ｒ，ＳＬ，ＳＲは、他の４チャンネルのスピーカ（バスレフキャビネット）の位相特性を合成した特性で信号位相を回転するように設計された複数段のオールパスフィルタで構成されている。
すなわち、各スピーカ１Ｌ，１Ｃ，１Ｒ，１ＳＬ，１ＳＲは、図３（Ｂ）に示すようにキャビネットの容積が異なり、それぞれ異なる低域共振周波数を有している。したがって、バスレフポートから出力される音声は、その低域共振周波数をカットオフとして位相が反転する。フェーズシフタ３６Ｌは、スピーカ１Ｃ，１Ｒ，１ＳＬ，１ＳＲの位相特性を合成した特性を有している。他のフェーズシフタ３６Ｃ，３６Ｒ，３６ＳＬ，３６ＳＲも同様に、自己以外のチャンネルのスピーカのバスレフキャビネットの位相特性を合成した特性を有している。
【００４７】
各フェーズシフタ３６Ｌ，３６Ｃ，３６Ｒ，３６ＳＬ，３６ＳＲで位相をシフトされた低域信号は、それぞれ各チャンネルの加算回路３３Ｌ，３３Ｃ，３３Ｒ，３３ＳＬ，３３ＳＲを介して各チャンネルのパワーアンプ３０Ｌ，３０Ｃ，３０Ｒ，３０ＳＬ，３０ＳＲに供給される。
【００４８】
以上の構成により、各チャンネルのスピーカ１Ｌ，１Ｃ，１Ｒ，１ＳＬ，１ＳＲから出力される低域音声の位相が完全に一致し、全体としてフラットな低域特性を得ることができる。
【００４９】
なお、この実施形態では、各スピーカのキャビネットの容積を異ならせることで、低域共振周波数を異ならせているが、バスレフポートの要請を異ならせることで低域共振周波数を異ならせてもよい。また、その両方を併用してもよい。
【図面の簡単な説明】
【００５０】
【図１】共振型のスピーカキャビネットの例を示す図
【図２】バスレフ型スピーカの周波数特性を示す図
【図３】この発明の実施形態である２チャンネルおよび５チャンネルのスピーカシステムの構成を示す図
【図４】同スピーカシステムの位相特性および周波数特性を示す図
【図５】前記２チャンネルのスピーカシステムを用いる２チャンネルのオーディオアンプのブロック図
【図６】同オーディオアンプにおける低域信号の位相特性を説明する図
【図７】前記２チャンネルのスピーカシステムを用いるバーチャルサラウンドアンプのブロック図
【図８】前記５チャンネルのスピーカシステムを用いる５．１チャンネルサラウンドアンプのブロック図
【符号の説明】
【００５１】
１…スピーカ
２…キャビネット（バスレフキャビネット）
３…スタンド部
４…スピーカ
５…バスレフポート
１０，２０，３０…パワーアンプ
１１，２１，３１…ローパスフィルタ
１２，２２，３２…ハイパスフィルタ
１４，２６，３６…フェーズシフタ
【図１】
2006129199.tif 000003
【図２】
2006129199.tif 000004
【図３】
2006129199.tif 000005
【図４】
2006129199.tif 000006
【図５】
2006129199.tif 000007
【図６】
2006129199.tif 000008
【図７】
2006129199.tif 000009
【図８】
2006129199.tif 000010